(57)【特許請求の範囲】
【請求項１】
電力を用いて湯水を加熱可能なヒートポンプ式の加熱装置と、前記加熱装置により加熱された湯水を溜める貯湯タンクとを有する給湯器本体と、
前記給湯器本体を制御可能な制御装置と、を備え、
前記制御装置は、
標準的な設置条件で設置された前記給湯器本体を運転させたときの運転データである基準運転データと、実設置条件で設置された前記給湯器本体を試運転させたときの運転データである試運転データとを記憶する記憶部と、
前記基準運転データと前記試運転データとの第１差分に基づいて、前記実設置条件で設置された前記給湯器本体の運転を補正制御する制御部と、を有し、
前記基準運転データは、標準的な設置条件で設置された前記給湯器本体において、外気温および前記給湯器本体への給水温度に応じて変化する、前記貯湯タンクに所定の貯湯量が溜まるまでに要する基準時間を有し、
前記試運転データは、実設置条件で設置された前記給湯器本体において、試運転時の前記外気温および前記給水温度で、前記貯湯タンクに所定の貯湯量が溜まるまでに要する第１時間を有し、
前記第１差分は、前記第１時間から、試運転時の前記外気温および前記給水温度に基づく前記基準時間を引いたものであることを特徴とする給湯器。
【請求項２】
前記記憶部は、前記第１差分の上限となる第１差分上限値と、前記第１差分の下限となる第１差分下限値とを記憶しており、
前記制御部は、前記第１差分が前記第１差分上限値よりも大きい場合、または前記第１差分が前記第１差分下限値よりも小さい場合、前記給湯器本体の設置に異常があると判定することを特徴とする請求項１に記載の給湯器。
【請求項３】
前記記憶部は、前記第１差分下限値と前記第１差分上限値との間に設定された第１差分中間値をさらに記憶しており、
前記制御部は、前記第１差分が前記第１差分中間値以上で前記第１差分上限値以下である場合は、前記補正制御を実行し、前記第１差分が前記第１差分下限値以上で前記第１差分中間値よりも小さい場合は、前記補正制御を実行せず、
前記補正制御は、前記貯湯タンクに溜められる湯水の熱量が、標準的な設置条件よりも大きくなるように前記給湯器本体を運転させる制御、または前記貯湯タンクから給湯される湯水の熱量が、標準的な設置条件よりも小さくなるように前記給湯器本体を運転させる制御であることを特徴とする請求項２に記載の給湯器。
【請求項４】
前記記憶部は、前記給湯器本体を運転させたときの所定期間毎の運転データである期間毎運転データをさらに記憶しており、
前記基準運転データは、新たな前記給湯器本体を運転させたときの運転データであり、
前記制御部は、前記基準運転データと前記期間毎運転データとの第２差分に基づいて、前記給湯器本体の運転を補正制御することを特徴とする請求項１ないし３のいずれか１項に記載の給湯器。
【請求項５】
前記基準運転データは、新たな前記給湯器本体において、前記外気温および前記給湯器本体への給水温度に応じて変化する、前記貯湯タンクに所定の貯湯量が溜まるまでに要する基準時間を有し、
前記期間毎運転データは、所定期間の運転時の前記外気温および前記給水温度で、前記貯湯タンクに所定の貯湯量が溜まるまでに要する第２時間を有し、
前記第２差分は、前記第２時間から、所定期間の運転時の外気温および前記給水温度に基づく前記基準時間を引いたものであることを特徴とする請求項４に記載の給湯器。
【請求項６】
前記記憶部は、前記第２差分の上限となる第２差分上限値と、前記第２差分の下限となる第２差分下限値とを記憶しており、
前記制御部は、前記第２差分が前記第２差分上限値よりも大きい場合、または前記第２差分が前記第２差分下限値よりも小さい場合、前記給湯器本体の運転に異常があると判定することを特徴とする請求項４または５に記載の給湯器。
【請求項７】
前記記憶部は、前記第２差分下限値と前記第２差分上限値との間に設定された第２差分中間値をさらに記憶しており、
前記制御部は、前記第２差分が前記第２差分中間値以上で前記第２差分上限値以下である場合は、前記補正制御を実行し、前記第２差分が前記第２差分下限値以上で前記第２差分中間値よりも小さい場合は、前記補正制御を実行せず、
前記補正制御は、前記貯湯タンクに溜められる湯水の熱量が、新たな前記給湯器本体よりも大きくなるように前記給湯器本体を運転させる制御、または前記貯湯タンクから給湯される湯水の熱量が、新たな前記給湯器本体よりも小さくなるように前記給湯器本体を運転させる制御であることを特徴とする請求項６に記載の給湯器。
【請求項８】
前記記憶部は、前記給湯器本体を追い炊き運転させたときの運転データである追い炊き運転データをさらに記憶しており、
前記制御部は、前記追い炊き運転データに基づいて、所定期間毎の追い炊き運転の積算時間を導出し、導出した前記積算時間に基づいて、前記給湯器本体の運転を補正制御することを特徴とする請求項１ないし７のいずれか１項に記載の給湯器。
【請求項９】
前記記憶部は、前記積算時間の上限となる積算時間上限値を記憶しており、
前記制御部は、前記積算時間が前記積算時間上限値よりも大きい場合は、前記給湯器本体の運転に異常があると判定し、前記積算時間が前記積算時間上限値以下である場合は、前記補正制御を実行し、
前記補正制御は、前記貯湯タンクに溜められる湯水の熱量が、前回の所定期間に溜められた湯水の熱量よりも大きくなるように前記給湯器本体を運転させる制御、または前記貯湯タンクから給湯される湯水の熱量が、前回の所定期間に給湯された湯水の熱量よりも小さくなるように前記給湯器本体を運転させる制御であることを特徴とする請求項８に記載の給湯器。
【請求項１０】
前記給湯器本体の異常を報知する報知装置をさらに備えたことを特徴とする請求項１ないし９のいずれか１項に記載の給湯器。
【請求項１１】
電力を用いて湯水を加熱可能なヒートポンプ式の加熱装置と、前記加熱装置により加熱された湯水を溜める貯湯タンクとを有する給湯器本体と、
前記給湯器本体を制御可能な制御装置と、を備え、
前記制御装置は、
新たな前記給湯器本体を運転させたときの運転データである基準運転データと、前記給湯器本体を運転させたときの所定期間毎の運転データである期間毎運転データとを記憶する記憶部と、
前記基準運転データと前記期間毎運転データとの第２差分に基づいて、前記給湯器本体の運転を補正制御する制御部と、を有していることを特徴とする給湯器。
【請求項１２】
電力を用いて湯水を加熱可能なヒートポンプ式の加熱装置と、前記加熱装置により加熱された湯水を溜める貯湯タンクとを有する給湯器本体と、
前記給湯器本体を制御可能な制御装置と、を備え、
前記制御装置は、
標準的な設置条件で設置された前記給湯器本体を運転させたときの運転データである基準運転データと、実設置条件で設置された前記給湯器本体を試運転させたときの運転データである試運転データとを記憶する記憶部と、
前記基準運転データと前記試運転データとの第１差分に基づいて、前記実設置条件で設置された前記給湯器本体の運転を補正制御する制御部と、を有し、
前記記憶部は、前記第１差分の上限となる第１差分上限値と、前記第１差分の下限となる第１差分下限値と、前記第１差分下限値と前記第１差分上限値との間に設定された第１差分中間値と、を記憶しており、
前記制御部は、前記第１差分が前記第１差分上限値よりも大きい場合、または前記第１差分が前記第１差分下限値よりも小さい場合、前記給湯器本体の設置に異常があると判定し、前記第１差分が前記第１差分中間値以上で前記第１差分上限値以下である場合、前記補正制御を実行し、前記第１差分が前記第１差分下限値以上で前記第１差分中間値よりも小さい場合、前記補正制御を実行せず、
前記補正制御は、前記貯湯タンクに溜められる湯水の熱量が、標準的な設置条件よりも大きくなるように前記給湯器本体を運転させる制御、または前記貯湯タンクから給湯される湯水の熱量が、標準的な設置条件よりも小さくなるように前記給湯器本体を運転させる制御であることを特徴とする給湯器。
【請求項１３】
電力を用いて湯水を加熱可能なヒートポンプ式の加熱装置と、前記加熱装置により加熱された湯水を溜める貯湯タンクとを有する給湯器本体と、
前記給湯器本体を制御可能な制御装置と、を備え、
前記制御装置は、
標準的な設置条件で設置された前記給湯器本体を運転させたときの運転データである基準運転データと、実設置条件で設置された前記給湯器本体を試運転させたときの運転データである試運転データとを記憶する記憶部と、
前記基準運転データと前記試運転データとの第１差分に基づいて、前記実設置条件で設置された前記給湯器本体の運転を補正制御する制御部と、を有し、
前記記憶部は、前記給湯器本体を追い炊き運転させたときの運転データである追い炊き運転データを記憶しており、
前記制御部は、前記追い炊き運転データに基づいて、所定期間毎の追い炊き運転の積算時間を導出し、導出した前記積算時間に基づいて、前記給湯器本体の運転を補正制御し、
前記記憶部は、前記積算時間の上限となる積算時間上限値を記憶しており、
前記制御部は、前記積算時間が前記積算時間上限値よりも大きい場合は、前記給湯器本体の運転に異常があると判定し、前記積算時間が前記積算時間上限値以下である場合は、前記補正制御を実行し、
前記補正制御は、前記貯湯タンクに溜められる湯水の熱量が、前回の所定期間に溜められた湯水の熱量よりも大きくなるように前記給湯器本体を運転させる制御、または前記貯湯タンクから給湯される湯水の熱量が、前回の所定期間に給湯された湯水の熱量よりも小さくなるように前記給湯器本体を運転させる制御であることを特徴とする給湯器。
【発明の詳細な説明】
【技術分野】
【０００１】
本発明は、電力を用いて湯水を加熱するヒートポンプ式の給湯器に関するものである。
【背景技術】
【０００２】
従来、ヒートポンプ式の給湯器は、夜間電力によって湯水を加熱し、加熱した湯水を貯湯タンクに溜め、貯湯タンクに溜めた湯水を昼間に使用している。このような、ヒートポンプ式の給湯器として、貯湯タンクと、貯湯タンクの湯水を沸き上げる熱源部とを備えた貯湯式給湯機が知られている（例えば、特許文献１参照）。この貯湯式給湯機は、貯湯タンク内の湯水を利用して暖房運転を行っており、所定期間内に暖房運転を行った実績がある場合、通常の湯切れ判定より早めに沸き上げを開始する。これにより、貯湯式給湯機は、暖房運転に対して予め十分な湯量を貯湯タンクに確保することで、湯切れを防止している。
【先行技術文献】
【特許文献】
【０００３】
【特許文献１】特開２００７−８５６５１号公報
【発明の概要】
【発明が解決しようとする課題】
【０００４】
ところで、給湯器は、実際に設置される実設置条件がそれぞれ異なる。このため、例えば、取り回しされる配管の長さが長い場合、配管の熱ロス（熱量損失）によって、貯湯タンクの湯水の貯湯量が溜まり難くなったり、または貯湯タンクの湯水の湯温が高くなり難くなったりする。また、給湯機は、使用期間が長くなるにつれて、各部が経年劣化するため、貯湯タンクの湯水の貯湯量が溜まり難くなったり、または貯湯タンクの湯水の湯温が高くなり難くなったりする。
【０００５】
このとき、従来の貯湯式給湯機では、所定期間内に暖房運転を行った実績があるか否かによって、湯切れ判定を行っていることから、実配置条件や経年劣化による給湯能力の低下に伴う湯切れの発生を抑制することは困難である。
【０００６】
そこで、本発明は、湯切れの発生を低減できる給湯器を提供することを課題とする。
【課題を解決するための手段】
【０００７】
本発明の給湯器は、電力を用いて湯水を加熱可能なヒートポンプ式の加熱装置と、加熱装置により加熱された湯水を溜める貯湯タンクとを有する給湯器本体と、給湯器本体を制御可能な制御装置と、を備え、制御装置は、標準的な設置条件で設置された給湯器本体を運転させたときの運転データである基準運転データと、実設置条件で設置された給湯器本体を試運転させたときの運転データである試運転データとを記憶する記憶部と、基準運転データと試運転データとの第１差分に基づいて、実設置条件で設置された給湯器本体の運転を補正制御する制御部と、を有していることを特徴とする。
【０００８】
この構成によれば、制御部は、基準運転データと試運転データとの第１差分に基づいて、給湯器本体の運転を補正制御することができる。これにより、実設置条件で設置された給湯器本体の運転を好適に補正することができるため、貯湯タンクに湯水を適切に溜めることができ、設置条件の違いによる湯切れ発生を低減することができる。
【０００９】
この場合、基準運転データは、標準的な設置条件で設置された給湯器本体において、外気温および給湯器本体への給水温度に応じて変化する、貯湯タンクに所定の貯湯量が溜まるまでに要する基準時間を有し、試運転データは、実設置条件で設置された給湯器本体において、試運転時の外気温および給水温度で、貯湯タンクに所定の貯湯量が溜まるまでに要する第１時間を有し、第１差分は、第１時間から、試運転時の外気温および給水温度に基づく基準時間を引いたものであることが好ましい。
【００１０】
この構成によれば、第１差分が大きければ大きいほど、貯湯タンクに所定の貯湯量が溜まるまでの時間が、基準時間と比べて長いことになる。このため、制御部は、第１差分が大きければ湯切れの可能性が高いとして、給湯器本体の運転を好適に補正することで、湯水を貯湯タンクに適切に溜めることができる。
【００１１】
この場合、記憶部は、第１差分の上限となる第１差分上限値と、第１差分の下限となる第１差分下限値とを記憶しており、制御部は、第１差分が第１差分上限値よりも大きい場合、または第１差分が第１差分下限値よりも小さい場合、給湯器本体の設置に異常があると判定することが好ましい。
【００１２】
この構成によれば、制御部は、給湯器本体の設置に異常があると判定することができるため、給湯器本体の設置異常により、給湯器本体の給湯能力が低下することによる、貯湯タンクから給湯される湯水の湯切れの発生を抑制することができる。
【００１３】
この場合、記憶部は、第１差分下限値と第１差分上限値との間に設定された第１差分中間値をさらに記憶しており、制御部は、第１差分が第１差分中間値以上で第１差分上限値以下である場合は、補正制御を実行し、第１差分が第１差分下限値以上で第１差分中間値よりも小さい場合は、補正制御を実行せず、補正制御は、貯湯タンクに溜められる湯水の熱量が、標準的な設置条件よりも大きくなるように給湯器本体を運転させる制御、または貯湯タンクから給湯される湯水の熱量が、標準的な設置条件よりも小さくなるように給湯器本体を運転させる制御であることが好ましい。
【００１４】
この構成によれば、第１差分が第１差分中間値以上で第１差分上限値以下である場合、補正制御を実行することで、標準的な設置条件よりも貯湯タンクに溜められる湯水の熱量を大きくしたり、標準的な設置条件よりも貯湯タンクから給湯される湯水の熱量を小さくしたりすることができる。これにより、貯湯タンクから給湯される湯水の湯切れ発生を低減することができる。なお、貯湯タンクに溜められる湯水の熱量を大きくする場合、例えば、貯湯タンクに溜める湯水の湯温を高くしたり、貯湯タンクに溜める湯水の湯量を多くしたりすることで実現できる。また、貯湯タンクから給湯される湯水の熱量を小さくする場合、例えば、貯湯タンクから給湯される湯水の湯温を低くしたり、貯湯タンクから給湯される湯水の湯量を少なくしたりすることで実現できる。
【００１５】
この場合、記憶部は、給湯器本体を運転させたときの所定期間毎の運転データである期間毎運転データをさらに記憶しており、基準運転データは、新たな給湯器本体を運転させたときの運転データであり、制御部は、基準運転データと期間毎運転データとの第２差分に基づいて、給湯器本体の運転を補正制御することが好ましい。
【００１６】
この構成によれば、制御部は、基準運転データと期間毎運転データとの第２差分に基づいて、給湯器本体の運転を補正制御することができる。これにより、給湯器本体の使用期間に応じて、給湯器本体の運転を好適に補正することができるため、湯水を貯湯タンクに適切に溜めることができ、使用の経過（経年劣化）による湯切れ発生を低減することができる。
【００１７】
この場合、基準運転データは、新たな給湯器本体において、外気温および給湯器本体への給水温度に応じて変化する、貯湯タンクに所定の貯湯量が溜まるまでに要する基準時間を有し、期間毎運転データは、所定期間の運転時の外気温および給水温度で、貯湯タンクに所定の貯湯量が溜まるまでに要する第２時間を有し、第２差分は、第２時間から、所定期間の運転時の外気温および給水温度に基づく基準時間を引いたものであることが好ましい。
【００１８】
この構成によれば、第２差分が大きければ大きいほど、貯湯タンクに所定の貯湯量が溜まるまでの時間が、基準時間と比べて長いことになる。このため、制御部は、第２差分が大きければ湯切れの可能性が高いとして、給湯器本体の運転を好適に補正することで、貯湯タンクに湯水を適切に溜めることができる。
【００１９】
この場合、記憶部は、第２差分の上限となる第２差分上限値と、第２差分の下限となる第２差分下限値とを記憶しており、制御部は、第２差分が第２差分上限値よりも大きい場合、または第２差分が第２差分下限値よりも小さい場合、給湯器本体の運転に異常があると判定することが好ましい。
【００２０】
この構成によれば、制御部は、給湯器本体の運転に異常があると判定することができるため、給湯器本体の運転異常により、給湯器本体の給湯能力が低下して、貯湯タンクから給湯される湯水の湯切れの発生を抑制することができる。
【００２１】
この場合、記憶部は、第２差分下限値と第２差分上限値との間に設定された第２差分中間値をさらに記憶しており、制御部は、第２差分が第２差分中間値以上で第２差分上限値以下である場合は、補正制御を実行し、第２差分が第２差分下限値以上で第２差分中間値よりも小さい場合は、補正制御を実行せず、補正制御は、貯湯タンクに溜められる湯水の熱量が、新たな給湯器本体よりも大きくなるように給湯器本体を運転させる制御、または貯湯タンクから給湯される湯水の熱量が、新たな給湯器本体よりも小さくなるように給湯器本体を運転させる制御であることが好ましい。
【００２２】
この構成によれば、第２差分が第２差分中間値以上で第２差分上限値以下である場合、補正制御を実行することで、経年劣化前の新たな給湯器本体よりも貯湯タンクに溜められる湯水の熱量を大きくしたり、経年劣化前の新たな給湯器本体よりも貯湯タンクから給湯される湯水の熱量を小さくしたりすることができる。これにより、貯湯タンクから給湯される湯水の湯切れ発生を低減することができる。
【００２３】
この場合、記憶部は、給湯器本体を追い炊き運転させたときの運転データである追い炊き運転データをさらに記憶しており、制御部は、追い炊き運転データに基づいて、所定期間毎の追い炊き運転の積算時間を導出し、導出した積算時間に基づいて、給湯器本体の運転を補正制御することが好ましい。
【００２４】
この構成によれば、制御部は、追い炊き運転の積算時間に基づいて、給湯器本体の運転を補正制御することができる。これにより、給湯器本体の運転を好適に補正することができるため、貯湯タンクに湯水を適切に溜めることができ、湯切れ発生を低減することができる。例えば、制御部は、積算時間が多ければ、貯湯タンクに溜められる湯水の熱量が大きくなるように、給湯器本体を運転させる。
【００２５】
この場合、記憶部は、積算時間の上限となる積算時間上限値を記憶しており、制御部は、積算時間が積算時間上限値よりも大きい場合は、給湯器本体の運転に異常があると判定し、積算時間が積算時間上限値以下である場合は、補正制御を実行し、補正制御は、貯湯タンクに溜められる湯水の熱量が、前回の所定期間に溜められた湯水の熱量よりも大きくなるように給湯器本体を運転させる制御、または貯湯タンクから給湯される湯水の熱量が、前回の所定期間に給湯された湯水の熱量よりも小さくなるように給湯器本体を運転させる制御であることが好ましい。
【００２６】
この構成によれば、積算時間が積算時間上限値よりも大きい場合、給湯器本体の運転に異常があると判定することができるため、給湯器本体の運転異常により、給湯器本体の給湯能力が低下して、貯湯タンクから給湯される湯水の湯切れの発生を抑制することができる。また、積算時間が積算時間上限値以下である場合、補正制御を実行することで、前回の所定期間に溜められた湯水の熱量よりも貯湯タンクに溜められる湯水の熱量を大きくしたり、前回の所定期間に給湯された湯水の熱量よりも貯湯タンクから給湯される湯水の熱量を小さくしたりすることができる。これにより、貯湯タンクから給湯される湯水の湯切れ発生を低減することができる。
【００２７】
この場合、給湯器本体の異常を報知する報知装置をさらに備えたことが好ましい。
【００２８】
この構成によれば、給湯器を使用するユーザに対し、給湯器本体が異常である旨を報知することができる。
【００２９】
本発明の他の給湯器は、電力を用いて湯水を加熱可能なヒートポンプ式の加熱装置と、加熱装置により加熱された湯水を溜める貯湯タンクとを有する給湯器本体と、給湯器本体を制御可能な制御装置と、を備え、制御装置は、新たな給湯器本体を運転させたときの運転データである基準運転データと、給湯器本体を運転させたときの所定期間毎の運転データである期間毎運転データとを記憶する記憶部と、基準運転データと期間毎運転データとの第２差分に基づいて、給湯器本体の運転を補正制御する制御部と、を有していることを特徴とする。
【００３０】
この構成によれば、制御部は、基準運転データと期間毎運転データとの第２差分に基づいて、給湯器本体の運転を補正制御することができる。これにより、給湯器本体の使用期間に応じて、給湯器本体の運転を好適に補正することができるため、湯水を貯湯タンクに適切に溜めることができ、使用の経過による湯切れ発生を低減することができる。
【発明の効果】
【００３１】
本発明の給湯器によれば、実設置条件や経年劣化による湯切れの発生を低減できる。
【図面の簡単な説明】
【００３２】
【図１】図１は、本実施例に係る給湯器の概略構成図である。
【図２】図２は、給湯器の補正処理に関する一例のフローチャートである。
【図３】図３は、給湯器の補正処理に関する一例のフローチャートである。
【図４】図４は、給湯器の補正処理に関する一例のフローチャートである。
【発明を実施するための形態】
【００３３】
以下、添付した図面を参照して、本発明に係る給湯器について説明する。なお、以下の実施例によりこの発明が限定されるものではない。また、下記実施例における構成要素には、当業者が置換可能かつ容易なもの、或いは実質的に同一のものが含まれる。
【実施例】
【００３４】
図１は、本実施例に係る給湯器の概略構成図である。給湯器５は、電力を用いて湯水を加熱する電気式の給湯器であり、例えば、空気熱を利用したヒートポンプ式のものである。図１を参照して、給湯器５について説明する。
【００３５】
給湯器５は、室外に設けられた給湯器本体８と、給湯器本体８を制御する制御装置９と、給湯器本体８を操作する室内に設けられたリモコン１０と、を備えている。給湯器本体８は、空気熱により温めた冷媒を圧縮するヒートポンプサイクル（加熱装置）１１と、ヒートポンプサイクル１１によって加熱された冷媒により湯水を加熱する湯水加熱サイクル１２とを備えている。
【００３６】
ヒートポンプサイクル１１は、圧縮機１５と、熱交換器１６と、流量調整弁１７と、蒸発器１８と、アキュムレータ１９とを有し、これらの間を冷媒配管２１により接続することで、冷媒の循環流路を形成している。
【００３７】
圧縮機１５は、冷媒として、二酸化炭素（ＣＯ２）が用いられ、例えば、スクロール圧縮機またはロータリー圧縮機等で構成されている。冷媒が圧縮機１５に供給されると、圧縮機１５は、供給された冷媒を高温・高圧となるように圧縮する。そして、圧縮されることで高温・高圧となった冷媒は、熱交換器１６へ向けて供給される。
【００３８】
熱交換器１６は、圧縮機１５で圧縮することにより昇温させた冷媒と、湯水加熱サイクル１２を循環する湯水との間で熱交換を行っている。このため、圧縮機１５から熱交換器１６に冷媒が供給されると、供給された冷媒は、湯水加熱サイクル１２の湯水との間で熱交換を行う。これにより、冷媒は、湯水によって冷却され、湯水は、冷媒によって加熱される。そして、熱交換により冷却された冷媒は、流量調整弁１７を通過することで減圧され、低圧となった冷媒が蒸発器１８に供給される。
【００３９】
蒸発器１８は、通風ファン２５を有しており、通風ファン２５によって空気を流通させることで、熱交換器１６から供給された冷却された冷媒と、空気（大気）との間で熱交換を行っている。このため、熱交換器１６から蒸発器１８に冷媒が供給されると、供給された冷媒は、空気との間で熱交換を行うことで、空気から吸熱する。これにより、冷媒は、空気によって温められる。そして、熱交換により温められた冷媒は、アキュムレータ１９に供給される。アキュムレータ１９は、蒸発器１８から供給された冷媒を気液分離しており、気相となった冷媒を、圧縮機１５へ向けて供給している。
【００４０】
湯水加熱サイクル１２は、貯湯タンク３１と、上記の熱交換器１６と、給水ポンプ３２とを有し、これらの間を湯水配管３３により接続することで、湯水の循環流路を形成している。
【００４１】
貯湯タンク３１は、熱交換器１６によって加熱された湯水を溜めている。この貯湯タンク３１の内部には、貯湯タンク３１に溜まっている湯水の温度を検出する湯温センサ３５が設けられている。湯温センサ３５は、制御装置９に接続されており、制御装置９は、湯温センサ３５によって検出された湯温に基づいて、貯湯タンク３１に溜める湯水の温度を調整している。また、湯温センサ３５は、貯湯タンク３１の内部に鉛直方向に亘って複数設けられており、制御装置９は、湯温センサ３５の検出位置に基づいて、残湯量を検出可能となっている。そして、制御装置９は、複数の湯温センサ３５によって検出された残湯量に基づいて、貯湯タンク３１に溜める湯水の湯量を調整している。
【００４２】
また、貯湯タンク３１には、上水道に接続される給水管４１と、湯水を供給する給湯管４２とがそれぞれ接続されている。給水管４１には、流量調整弁４３が介設されており、流量調整弁４３は、貯湯タンク３１に給水される水の流量を調整する。また、給水管４１には、給水温度センサ４６が介設され、給水される水の温度を検出している。また、給湯管４２には、給水管４１と同様に、流量調整弁４４が介設されており、流量調整弁４４は、貯湯タンク３１から供給される湯水の流量を調整する。
【００４３】
給水ポンプ３２は、貯湯タンク３１から熱交換器１６へ向けて、貯湯タンク３１に溜まった湯水を供給している。このため、給水ポンプ３２から熱交換器１６へ向けて湯水が供給されると、供給された湯水は、熱交換器１６において加熱される。そして、熱交換により加熱された湯水は、貯湯タンク３１に溜められる。貯湯タンク３１に溜められた湯水は、給湯管４２を介して給湯される。また、貯湯タンク３１に溜められた湯水の残湯量が少なくなった場合には、給水管４１を介して給水される。
【００４４】
このように構成された給湯器本体８は、通常、電気使用料金の安い夜間に運転される。つまり、給湯器本体８は、電力を用いて夜間運転を行うことにより、貯湯タンク３１に加熱した湯水を溜め、貯湯タンク３１に溜めた湯水を昼間に使用している。また、給湯器本体８は、実際に設置される設置条件に応じて、冷媒配管２１または湯水配管３３の配管の取り回しが適宜変更される。このため、給湯器本体８は、標準的な設置条件よりも、冷媒配管２１または湯水配管３３の配管長が長くなった状態で設置される場合がある。
【００４５】
再び、図１を参照し、リモコン１０について説明する。リモコン１０は、室外の給湯器本体８の運転を操作したり、制御装置９に各種情報を登録したりするときに用いられ、また、ユーザに対し情報を報知することが可能となっている。リモコン１０は、ユーザによって操作される操作部５１と、各種情報を表示可能な表示部５２と、警報音等の音を出力可能なスピーカ５３とを有し、制御装置９に接続されている。制御装置９は、リモコン１０の操作部５１からの入力操作に基づいて、各種情報を取得したり、取得した各種情報を表示部５２に表示したり、スピーカ５３から警報音を発したりする。
【００４６】
続いて、制御装置９について説明する。制御装置９は、給湯器本体８と、リモコン１０とにそれぞれ接続され、給湯器本体８を制御可能となっている。また、制御装置９には、外気温を検出する外気温センサ５５が接続されており、外気温センサ５５は、検出した外気温を制御装置９に出力する。なお、制御装置９は、給湯器本体８と一体に設けられてもよいし、給湯器本体８と別体に設けられてもよい。制御装置９は、制御部６１と記憶部６２とを有している。
【００４７】
記憶部６２は、給湯器本体８を制御する制御プログラムの他、給湯器本体８の各種運転データ等が記憶されている。ここで、記憶部６２に記憶されている各種運転データについて説明する。記憶部６２は、運転データとして、基準運転データと、試運転データと、期間毎運転データと、追い炊き運転データと、を記憶している。
【００４８】
基準運転データは、標準的な設置条件で設置されたときの新たな（経年劣化する前の）給湯器本体８を運転させたときの運転データである。この基準運転データは、給湯器５の出荷時に記憶部６２に記憶させられている。基準運転データは、例えば、基準時間を有し、基準時間は、標準的な設置条件で設置された給湯器本体８において、貯湯タンク３１に所定の貯湯量が溜まるまでに要する時間であり、外気温および給水温度に応じて変化する時間となっている。この基準時間は、外気温および給水温度が低くなればなるほど、時間が長くなる一方で、外気温および給水温度が高くなればなるほど、時間が短くなっている。
【００４９】
試運転データは、実際に設置される実設置条件で設置されたときに、給湯器本体８を最初に運転させたときに取得される運転データである。試運転データは、例えば、第１時間を有し、第１時間は、実設置条件で設置された給湯器本体８において、貯湯タンク３１に所定の貯湯量が溜まるまでに要する時間であり、所定の外気温および給水温度のときの時間となっている。
【００５０】
期間毎運転データは、実設置条件で給湯器本体８を運転させたときに、所定期間毎に取得される運転データである。所定期間としては、例えば、夜間運転時における１日分の運転データであり、期間毎運転データは、１日毎に取得される。期間毎運転データは、例えば、第２時間を有し、第２時間は、実設置条件で設置された給湯器本体８において貯湯タンク３１に所定の貯湯量が溜まるまでに要する時間であり、所定の外気温および給水温度のときの時間となっている。なお、期間毎運転データの第２時間は、所定期間毎に（毎日）取得されるものであるのに対し、試運転データの第１時間は、試運転時のみに取得されるものである。
【００５１】
追い炊き運転データは、実設置条件で給湯器本体８を追い炊き運転させたときの運転データである。つまり、追い炊き運転データは、夜間運転時以外のときの運転、つまり、貯湯タンク３１に湯水がなくなって、昼間運転を行ったときの運転データである。追い炊き運転データは、追い炊き運転時間を有し、追い炊き運転時間は、追い炊き運転を行ったときの運転時間となっている。
【００５２】
ここで、制御装置９が実行する各種処理について説明する。制御装置９は、基準運転データと試運転データとに基づいて、実設置条件で設置された給湯器本体８の運転を補正する第１補正処理を実行可能となっている。また、制御装置９は、第１補正処理を実行する前に、第１補正処理を実行するか否かを判定する第１補正判定処理を実行している。
【００５３】
第１補正判定処理は、基準運転データと試運転データとの第１差分に基づいて実行される。具体的に、第１差分は、試運転データの第１時間から、試運転時の外気温および給水温度に基づく基準運転データの基準時間を引いたものである。すなわち、第１差分を「ΔＴ１２」とし、第１時間を「Ｔ２」とし、試運転時の外気温および給水温度に基づく基準運転データの基準時間を「Ｔ１Ａ」とすると、第１差分は、「ΔＴ１２＝Ｔ２−Ｔ１Ａ」で表される。つまり、第１差分は、その値が大きければ大きいほど、貯湯タンク３１に所定の湯量を溜めるまでに要する時間が、標準的な設置条件に比して長くなることを表す。
【００５４】
このとき、記憶部６２には、第１差分の上限のしきい値となる第１差分上限値と、第１差分の下限のしきい値となる第１差分下限値と、第１差分下限値と第１差分上限値との間に設定されたしきい値となる第１差分中間値とが記憶されている。そして、第１補正判定処理は、第１差分が、上記の第１差分上限値、第１差分中間値および第１差分下限値で区切られた所定の範囲にあるか否かで、第１補正処理を行うか否かを判定する。以下の第１補正判定処理では、第１差分を「ΔＴ１２」とし、第１差分上限値を「Ｔ１２ｍａｘ」とし、第１差分中間値を「Ｔ１２ｍｉｄ」とし、第１差分下限値を「Ｔ１２ｍｉｎ」として説明する。
【００５５】
制御部６１は、第１差分が第１差分上限値よりも大きい場合、すなわち、「ΔＴ１２＞Ｔ１２ｍａｘ」である場合、実設置条件で設置された給湯器本体８の設置に異常があると判定する。給湯器本体８の設置の異常とは、例えば、配管の接続不良であったり、配管の断熱不良であったりする。また、制御部６１は、第１差分が第１差分下限値よりも小さい場合、すなわち、「ΔＴ１２＜Ｔ１２ｍｉｎ」である場合、上記と同様に、実設置条件で設置された給湯器本体８の設置に異常があると判定する。制御部６１は、給湯器本体８の設置に異常があると判定すると、リモコン１０の表示部５２に給湯器本体８が設置異常である旨の情報を表示したり、リモコン１０のスピーカ５３から給湯器本体８が設置異常である旨の警告音をユーザへ向けて発したりする。つまり、表示部５２およびスピーカ５３が報知装置として機能する。
【００５６】
制御部６１は、第１差分が第１差分中間値以上で第１差分上限値以下である場合、すなわち、「Ｔ１２ｍｉｄ≦ΔＴ１２≦Ｔ１２ｍａｘ」である場合、後述する第１補正処理を実行する。つまり、第１差分が第１差分中間値以上で第１差分上限値以下である場合、給湯器本体８が、実設置条件での設置に異常はないものの、熱損失が発生している状態であることを示している。熱損失が発生している状態としては、例えば、冷媒配管２１または湯水配管３３の長配管等である。
【００５７】
制御部６１は、第１差分が第１差分下限値以上で第１差分中間値よりも小さい場合、すなわち、「Ｔ１２ｍｉｎ≦ΔＴ１２＜Ｔ１２ｍｉｄ」である場合、後述する第１補正処理を実行しない。つまり、第１差分が第１差分下限値以上で第１差分中間値よりも小さい場合、給湯器本体８が、実設置条件での設置に異常はなく、また、熱損失も発生していない状態であることを示している。
【００５８】
制御部６１は、上記の第１補正判定処理において第１補正処理を実行すると判定されると、下記する第１補正処理を実行する。第１補正処理は、給湯器本体８の夜間運転時において、貯湯タンク３１に溜められる湯水の熱量が標準的な設置条件の場合に比して大きくなるように給湯器本体８を運転させる処理である。
【００５９】
ここで、貯湯タンク３１に溜められる湯水の熱量が大きくなる運転とは、例えば、貯湯タンク３１に溜める湯水の湯量を多くする運転であったり、貯湯タンク３１に溜める湯水の温度を高くする運転であったりする。具体的に、制御装置９は、夜間運転の運転時間を長くすることで、貯湯タンク３１に溜められる湯水の熱量を大きくする。
【００６０】
従って、制御部６１は、第１補正判定処理を実行することで、給湯器本体８が、設置異常であるか、第１補正処理を実行するか、第１補正処理を実行しないかを判定する。そして、制御部６１は、第１補正処理を実行することで、実設置条件が熱損失の大きい設置条件であっても、貯湯タンク３１に溜める湯水の熱量を、標準的な設置条件に比して大きくすることで、貯湯タンク３１の湯切れ発生を低減することが可能となる。
【００６１】
次に、制御装置９が実行する第２補正処理について説明する。制御装置９は、基準運転データと期間毎運転データとに基づいて、給湯器本体８の運転を補正する第２補正処理を実行可能となっている。また、制御装置９は、第２補正処理を実行する前に、第２補正処理を実行するか否かを判定する第２補正判定処理を実行している。
【００６２】
第２補正判定処理は、基準運転データと期間毎運転データとの第２差分に基づいて実行される。具体的に、第２差分は、期間毎運転データの第２時間から、所定期間の運転時（夜間運転時）の外気温および給水温度に基づく基準運転データの基準時間を引いたものである。すなわち、第２差分を「ΔＴ１３」とし、第２時間を「Ｔ３」とし、所定期間の運転時の外気温および給水温度に基づく基準運転データの基準時間を「Ｔ１Ｂ」とすると、第２差分は、「ΔＴ１３＝Ｔ３−Ｔ１Ｂ」で表される。つまり、第２差分は、第１差分と同様に、その値が大きければ大きいほど、貯湯タンク３１に所定の湯量を溜めるまでに要する時間が、経年劣化前の給湯器本体８に比して長くなることを表す。
【００６３】
このとき、記憶部６２には、第２差分の上限のしきい値となる第２差分上限値と、第２差分の下限のしきい値となる第２差分下限値と、第２差分下限値と第２差分上限値との間に設定されたしきい値となる第２差分中間値とが記憶されている。そして、第２補正判定処理は、第２差分が、上記の第２差分上限値、第２差分中間値および第２差分下限値で区切られた所定の範囲にあるか否かで、第２補正処理を行うか否かを判定する。以下の第２補正判定処理では、第２差分を「ΔＴ１３」とし、第２差分上限値を「Ｔ１３ｍａｘ」とし、第２差分中間値を「Ｔ１３ｍｉｄ」とし、第２差分下限値を「Ｔ１３ｍｉｎ」として説明する。
【００６４】
制御部６１は、第２差分が第２差分上限値よりも大きい場合、すなわち、「ΔＴ１３＞Ｔ１３ｍａｘ」である場合、給湯器本体８の運転に異常があると判定する。給湯器本体８の運転の異常とは、例えば、各部の経年劣化による運転不良であり、具体的に、貯湯タンク３１または配管の断熱材の経年劣化による断熱機能の喪失等である。また、制御部６１は、第２差分が第２差分下限値よりも小さい場合、すなわち、「ΔＴ１３＜Ｔ１３ｍｉｎ」である場合、上記と同様に、給湯器本体８の運転に異常があると判定する。制御部６１は、給湯器本体８の運転に異常があると判定すると、リモコン１０の表示部５２に給湯器本体８が運転異常である旨の情報を表示したり、リモコン１０のスピーカ５３から給湯器本体８が運転異常である旨の警告音をユーザへ向けて発したりする。
【００６５】
制御部６１は、第２差分が第２差分中間値以上で第２差分上限値以下である場合、すなわち、「Ｔ１３ｍｉｄ≦ΔＴ１３≦Ｔ１３ｍａｘ」である場合、後述する第２補正処理を実行する。つまり、第２差分が第２差分中間値以上で第２差分上限値以下である場合、給湯器本体８が、経年劣化による異常ではないものの、熱損失が発生している状態であることを示している。熱損失が発生している状態としては、例えば、冷媒配管２１または湯水配管３３の断熱機能の低下等である。
【００６６】
制御部６１は、第２差分が第２差分下限値以上で第２差分中間値よりも小さい場合、すなわち、「Ｔ１３ｍｉｎ≦ΔＴ１３＜Ｔ１３ｍｉｄ」である場合、後述する第２補正処理を実行しない。つまり、第２差分が第２差分下限値以上で第２差分中間値よりも小さい場合、給湯器本体８が、経年劣化による異常はなく、また、熱損失も発生していない状態であることを示している。
【００６７】
制御部６１は、上記の第２補正判定処理において第２補正処理を実行すると判定されると、下記する第２補正処理を実行する。第２補正処理は、給湯器本体８の夜間運転時において、貯湯タンク３１に溜められる湯水の熱量が、経年劣化前の給湯器本体８に比して大きくなるように給湯器本体８を運転させる処理、または、貯湯タンク３１から給湯される湯水の熱量が、経年劣化前の給湯器本体８に比して小さくなるように給湯器本体８を運転させる処理である。
【００６８】
従って、制御部６１は、第２補正判定処理を実行することで、給湯器本体８が、運転異常であるか、第２補正処理を実行するか、第２補正処理を実行しないかを判定する。そして、制御部６１は、第２補正処理を実行することで、経年劣化による熱損失が大きい場合であっても、貯湯タンク３１に溜める湯水の熱量を、経年劣化前の給湯器本体８に比して大きくしたり、貯湯タンク３１から給湯される湯水の熱量を、経年劣化前の給湯器本体８に比して小さくしたりすることで、貯湯タンク３１の湯切れ発生を低減することが可能となる。
【００６９】
次に、制御装置９が実行する第３補正処理について説明する。制御装置９は、追い炊き運転データに基づいて、給湯器本体８の運転を補正する第３補正処理を実行可能となっている。また、制御装置９は、第３補正処理を実行する前に、第３補正処理を実行するか、給湯器本体８の運転に異常があるかを判定する第３補正判定処理を実行している。
【００７０】
第３補正判定処理は、追い炊き運転データの追い炊き運転時間を積算した積算時間に基づいて実行される。具体的に、積算時間は、所定期間毎（例えば、日毎）に、追い炊き運転時間を積算したものである。つまり、積算時間は、その時間が長ければ長いほど、昼間の追い炊き運転時間が長いことを表す。
【００７１】
このとき、記憶部６２には、積算時間の上限のしきい値となる積算時間上限値が記憶されている。以下の第３補正判定処理では、積算時間を「Ｔ４」とし、積算時間上限値を「Ｔ４ｍａｘ」として説明する。
【００７２】
制御部６１は、積算時間が積算時間上限値よりも大きい場合、すなわち、「Ｔ４＞Ｔ４ｍａｘ」である場合、給湯器本体８の運転に異常があると判定する、または給湯使用量が大幅に増加したと判定する。制御部６１は、「Ｔ４＞Ｔ４ｍａｘ」であると判定すると、リモコン１０の表示部５２に、給湯器本体８の運転状態に関する情報を表示したり、リモコン１０のスピーカ５３から給湯器本体８の運転状態に対応する音をユーザへ向けて発したりする。
【００７３】
制御部６１は、積算時間が積算時間上限値以下である場合、すなわち、「Ｔ４≦Ｔ４ｍａｘ」である場合、後述する第３補正処理を実行する。つまり、積算時間が積算時間上限値以下である場合、給湯器本体８が、運転の異常または給湯使用量の増大ではないものの、熱損失が発生している状態であることを示している。
【００７４】
制御部６１は、上記の第３補正判定処理において第３補正処理を実行すると判定されると、下記する第３補正処理を実行する。第３補正処理は、給湯器本体８の夜間運転時において、貯湯タンク３１に溜められる湯水の熱量が、前回の所定期間（前日の夜間）に溜められた湯水の熱量に比して大きくなるように給湯器本体８を運転させる処理である。また、第３補正処理は、積算時間の長さに応じて、貯湯タンク３１に溜められる湯水の熱量を変化させる。つまり、第３補正処理は、積算時間が長ければ長いほど、貯湯タンク３１に溜められる湯水の熱量を大きくする。
【００７５】
従って、制御部６１は、第３補正判定処理を実行することで、給湯器本体８が、運転異常であるか、第３補正処理を実行するかを判定する。そして、制御部６１は、第３補正処理を実行することで、昼間の追い炊き運転が多い場合であっても、貯湯タンク３１に溜める湯水の熱量を、前回の所定期間に溜められた湯水の熱量に比して大きくすることで、貯湯タンク３１の湯切れ発生を低減することが可能となる。
【００７６】
続いて、図２を参照し、給湯器５による第１補正処理を実行するフローの一例について説明する。図２は、給湯器の補正処理に関する一例のフローチャートである。なお、第１補正処理は、給湯器５の設置直後にのみ行われる処理である。
【００７７】
先ず、実際の設置条件となる実設置条件で給湯器５（給湯器本体８）が設置される（ステップＳ１）。給湯器５の設置が完了すると、給湯器５の試運転を開始する（ステップＳ２）。制御部６１は、給湯器５の試運転時における試運転データを、記憶部６２に記憶する（ステップＳ３）。このとき、制御部６１は、給湯器５の試運転時における試運転データとして、給水温度センサ４６による給水温度を取得すると共に、外気温センサ５５による外気温を取得する。
【００７８】
試運転の終了後、制御部６１は、出荷時に記憶部６２に記憶されている基準運転データの基準時間から、試運転時に取得した給水温度および外気温に基づいて、基準時間「Ｔ１Ａ」を導出する（ステップＳ４）。続いて、制御部６１は、試運転時に取得した第１時間「Ｔ２」と導出した基準時間「Ｔ１Ａ」とから、第１差分「ΔＴ１２」を導出する（ステップＳ５）。
【００７９】
そして、制御部６１は、導出した第１差分「ΔＴ１２」に基づいて、第１補正判定処理を実行する。すなわち、制御部６１は、第１差分「ΔＴ１２」が、第１差分上限値「Ｔ１２ｍａｘ」よりも大きいか否かを判定する（ステップＳ６）。制御部６１は、第１差分「ΔＴ１２」が、第１差分上限値「Ｔ１２ｍａｘ」よりも大きいと判定する（ステップＳ６：Ｙｅｓ）と、リモコン１０の表示部５２およびスピーカ５３から、給湯器本体８の設置異常である旨をユーザへ向けて報知して（ステップＳ７）、処理を終了する。一方で、制御部６１は、第１差分「ΔＴ１２」が、第１差分上限値「Ｔ１２ｍａｘ」よりも大きくないと判定する（ステップＳ６：Ｎｏ）と、第１差分「ΔＴ１２」が、第１差分中間値「Ｔ１２ｍｉｄ」以上で第１差分上限値「Ｔ１２ｍａｘ」以下であるか否かを判定する（ステップＳ８）。
【００８０】
制御部６１は、第１差分「ΔＴ１２」が、第１差分中間値「Ｔ１２ｍｉｄ」以上で第１差分上限値「Ｔ１２ｍａｘ」以下であると判定する（ステップＳ８：Ｙｅｓ）と、第１補正処理を実行し（ステップＳ９）、この後、処理を終了する。一方で、制御部６１は、第１差分「ΔＴ１２」が、第１差分中間値「Ｔ１２ｍｉｄ」以上で第１差分上限値「Ｔ１２ｍａｘ」以下でないと判定する（ステップＳ８：Ｎｏ）と、第１差分「ΔＴ１２」が、第１差分下限値「Ｔ１２ｍｉｎ」以上で第１差分中間値「Ｔ１２ｍｉｄ」よりも小さいか否かを判定する（ステップＳ１０）。制御部６１は、第１差分「ΔＴ１２」が、第１差分下限値「Ｔ１２ｍｉｎ」以上で第１差分中間値「Ｔ１２ｍｉｄ」よりも小さいと判定する（ステップＳ１０：Ｙｅｓ）と、第１補正処理を実行せず（ステップＳ１１）、処理を終了する。一方で、制御部６１は、第１差分「ΔＴ１２」が、第１差分下限値「Ｔ１２ｍｉｎ」以上で第１差分中間値「Ｔ１２ｍｉｄ」よりも小さくないと判定する（ステップＳ１０：Ｎｏ）と、第１差分「ΔＴ１２」が第１差分下限値「Ｔ１２ｍｉｎ」よりも小さいと判定し、リモコン１０の表示部５２およびスピーカ５３から、給湯器本体８の設置異常である旨をユーザへ向けて報知して（ステップＳ１２）、処理を終了する。
【００８１】
続いて、図３を参照し、給湯器５による第２補正処理を実行するフローの一例について説明する。図３は、給湯器の補正処理に関する一例のフローチャートである。なお、第２補正処理は、給湯器５の夜間運転毎に行われる処理である。
【００８２】
給湯器５が夜間運転を開始する（ステップＳ３１）。制御部６１は、給湯器５の夜間運転時における期間毎運転データを、記憶部６２に記憶する（ステップＳ３２）。このとき、制御部６１は、給湯器５の夜間運転時における期間毎運転データとして、給水温度センサ４６による給水温度を取得すると共に、外気温センサ５５による外気温を取得する。
【００８３】
夜間運転の終了後、制御部６１は、出荷時に記憶部６２に記憶されている基準運転データの基準時間から、夜間運転時に取得した給水温度および外気温に基づいて、基準時間「Ｔ１Ｂ」を導出する（ステップＳ３３）。続いて、制御部６１は、夜間運転時に取得した第２時間「Ｔ３」と導出した基準時間「Ｔ１Ｂ」とから、第２差分「ΔＴ１３」を導出する（ステップＳ３４）。
【００８４】
そして、制御部６１は、導出した第２差分「ΔＴ１３」に基づいて、第２補正判定処理を実行する。すなわち、制御部６１は、第２差分「ΔＴ１３」が、第２差分上限値「Ｔ１３ｍａｘ」よりも大きいか否かを判定する（ステップＳ３５）。制御部６１は、第２差分「ΔＴ１３」が、第２差分上限値「Ｔ１３ｍａｘ」よりも大きいと判定する（ステップＳ３５：Ｙｅｓ）と、リモコン１０の表示部５２およびスピーカ５３から、給湯器本体８の運転異常である旨をユーザへ向けて報知して（ステップＳ３６）、処理を終了する。一方で、制御部６１は、第２差分「ΔＴ１３」が、第２差分上限値「Ｔ１３ｍａｘ」よりも大きくないと判定する（ステップＳ３５：Ｎｏ）と、第２差分「ΔＴ１３」が、第２差分中間値「Ｔ１３ｍｉｄ」以上で第２差分上限値「Ｔ１３ｍａｘ」以下であるか否かを判定する（ステップＳ３７）。
【００８５】
制御部６１は、第２差分「ΔＴ１３」が、第２差分中間値「Ｔ１３ｍｉｄ」以上で第２差分上限値「Ｔ１３ｍａｘ」以下であると判定する（ステップＳ３７：Ｙｅｓ）と、第２補正処理を実行し（ステップＳ３８）、この後、処理を終了する。一方で、制御部６１は、第２差分「ΔＴ１３」が、第２差分中間値「Ｔ１３ｍｉｄ」以上で第２差分上限値「Ｔ１３ｍａｘ」以下でないと判定する（ステップＳ３７：Ｎｏ）と、第２差分「ΔＴ１３」が、第２差分下限値「Ｔ１３ｍｉｎ」以上で第２差分中間値「Ｔ１３ｍｉｄ」よりも小さいか否かを判定する（ステップＳ３９）。制御部６１は、第２差分「ΔＴ１３」が、第２差分下限値「Ｔ１３ｍｉｎ」以上で第２差分中間値「Ｔ１３ｍｉｄ」よりも小さいと判定する（ステップＳ３９：Ｙｅｓ）と、第２補正処理を実行せず（ステップＳ４０）、処理を終了する。一方で、制御部６１は、第２差分「ΔＴ１３」が、第２差分下限値「Ｔ１３ｍｉｎ」以上で第２差分中間値「Ｔ１３ｍｉｄ」よりも小さくないと判定する（ステップＳ３９：Ｎｏ）と、第２差分「ΔＴ１３」が第２差分下限値「Ｔ１３ｍｉｎ」よりも小さいと判定し、リモコン１０の表示部５２およびスピーカ５３から、給湯器本体８の運転異常である旨をユーザへ向けて報知して（ステップＳ４１）、処理を終了する。
【００８６】
続いて、図４を参照し、給湯器５による第３補正処理を実行するフローの一例について説明する。図４は、給湯器の補正処理に関する一例のフローチャートである。なお、第３補正処理は、給湯器５の昼間運転毎に行われる処理である。
【００８７】
給湯器５により昼間に追い炊き運転が実行される（ステップＳ５１）。すると、制御部６１は、給湯器５の追い炊き運転時における追い炊き運転データを、記憶部６２に記憶する（ステップＳ５２）。そして、制御部６１は、夜間運転の開始前に、追い炊き運転データに基づいて、追い炊き運転時間を積算し、積算時間「Ｔ４」を導出する（ステップＳ５３）。
【００８８】
そして、制御部６１は、導出した積算時間「Ｔ４」に基づいて、第３補正判定処理を実行する。すなわち、制御部６１は、積算時間「Ｔ４」が、積算時間上限値「Ｔ４ｍａｘ」よりも大きいか否かを判定する（ステップＳ５４）。制御部６１は、積算時間「Ｔ４」が、積算時間上限値「Ｔ４ｍａｘ」よりも大きいと判定する（ステップＳ５４：Ｙｅｓ）と、リモコン１０の表示部５２およびスピーカ５３から、給湯器本体８の運転異常または給湯使用量の大幅な増大である旨をユーザへ向けて報知して（ステップＳ５５）、処理を終了する。一方で、制御部６１は、積算時間「Ｔ４」が、積算時間上限値「Ｔ４ｍａｘ」よりも大きくないと判定する（ステップＳ５４：Ｎｏ）と、第３補正処理を実行し（ステップＳ５６）、この後、処理を終了する。
【００８９】
以上のように、本実施例の構成によれば、制御部６１は、基準運転データと試運転データとの第１差分が第１差分中間値以上で第１差分上限値以下である場合、給湯器本体８の運転を第１補正処理することができる。これにより、実設置条件で設置された給湯器本体８の運転を好適に補正することができるため、貯湯タンク３１に湯水を適切に溜めることができ、設置条件の違いによる湯切れ発生を低減することができる。
【００９０】
また、本実施例の構成によれば、第１差分が長いほど、貯湯タンク３１に所定の貯湯量が溜まるまでの時間が、標準的な設置条件で設置された給湯器本体８と比べて長くなることが判定できる。このため、制御部６１は、第１差分が長ければ湯切れの可能性が高いとして、給湯器本体８の運転を補正することで、貯湯タンク３１に湯水を適切に溜めることができる。
【００９１】
また、本実施例の構成によれば、制御部６１は、第１補正判定処理を実行することで、給湯器本体８の設置に異常があると判定することができるため、給湯器本体８の設置異常により、給湯器本体８の給湯能力が低下することによる、貯湯タンク３１から給湯される湯水の湯切れの発生を抑制することができる。
【００９２】
また、本実施例の構成によれば、制御部６１は、基準運転データと期間毎運転データとの第２差分が第２差分中間値以上で第２差分上限値以下である場合、給湯器本体８の運転を第２補正処理することができる。これにより、給湯器本体８の使用期間に応じて、給湯器本体８の運転を好適に補正することができるため、貯湯タンク３１に湯水を適切に溜めることができ、使用の経過（経年劣化）による湯切れ発生を低減することができる。
【００９３】
また、本実施例の構成によれば、第２差分が長いほど、貯湯タンク３１に所定の貯湯量が溜まるまでの時間が、経年劣化前の新たな給湯器本体８と比べて長いことになる。このため、制御部６１は、第２差分が長ければ湯切れの可能性が高いとして、給湯器本体８の運転を好適に補正することで、貯湯タンク３１に湯水を適切に溜めることができる。
【００９４】
また、本実施例の構成によれば、制御部６１は、第２補正判定処理を実行することで、給湯器本体８の運転に異常があると判定することができるため、給湯器本体８の運転異常により、給湯器本体８の給湯能力が低下することによる、貯湯タンク３１から給湯される湯水の湯切れの発生を抑制することができる。
【００９５】
また、本実施例の構成によれば、制御部６１は、追い炊き運転の積算時間に基づいて、給湯器本体８の運転を第３補正処理することができる。これにより、給湯器本体８の追い炊き運転の積算時間に応じて、給湯器本体８の運転を好適に補正することができるため、貯湯タンク３１に湯水を適切に溜めることができ、湯切れ発生を低減することができる。
【００９６】
また、本実施例の構成によれば、制御部６１は、第３補正判定処理を実行することで、給湯器本体８の運転に異常があると判定することができるため、給湯器本体８の運転異常により、給湯器本体８の給湯能力が低下することによる、貯湯タンク３１から給湯される湯水の湯切れの発生を抑制することができる。
【００９７】
また、本実施例の構成によれば、制御部６１は、給湯器本体８が異常である場合、リモコン１０の表示部５２およびスピーカ５３から、給湯器５を使用するユーザに対し、給湯器本体８が異常である旨を報知することができる。
【００９８】
なお、本実施例の給湯器５では、第１補正処理、第２補正処理および第３補正処理をそれぞれ行ったが、少なくともいずれか１つの補正処理を行う構成としてもよい。
【符号の説明】
【００９９】
５  給湯器
８  給湯器本体
９  制御装置
１０  リモコン
１１  ヒートポンプサイクル
１２  湯水加熱サイクル
１５  圧縮機
１６  熱交換器
１７  ヒートポンプサイクルの流量調整弁
１８  蒸発器
１９  アキュムレータ
２１  冷媒配管
２５  通風ファン
３１  貯湯タンク
３２  給水ポンプ
３３  湯水配管
３５  湯温センサ
４１  給水管
４２  給湯管
４３  給水管の流量調整弁
４４  給湯管の流量調整弁
４６  給水温度センサ
５１  操作部
５２  表示部
５３  スピーカ
５５  外気温センサ
６１  制御部
６２  記憶部
【図１】
0005967932.tif 000002
【図２】
0005967932.tif 000003
【図３】
0005967932.tif 000004
【図４】
0005967932.tif 000005